(57)【要約】【課題】  薬物の歯茎への浸透性を積極的に高めて歯周病や歯槽膿漏等の予防や治療効果を向上できるバブル口内洗浄液及びバブル口内洗浄方法の提供。【解決手段】  バブル口内洗浄方法として、口内洗浄を行なう噴射洗浄機２の洗浄液収納タンク２ａ内に、直径が１０ナノから３００ミクロン以下の空気又は酸素などで出来たバブルを１ｍｌあたり５０００個以上含むバブル水溶液１ａと、この水溶液１ａの容量に対し５０％以下で歯槽膿漏及び歯肉炎を予防する薬物を含む口内洗浄液１ｂとを混入れ、この洗浄機２から噴射されるバブル水溶液１ａと口内洗浄液１ｂとが混ざったバブル口内洗浄液１により歯茎及び歯間等を洗浄するようにした。【選択図】図２
2009189753.tif 000002
【特許請求の範囲】
【請求項１】
直径が１０ナノから３００ミクロン以下の空気又は酸素などで出来たバブルを１ｍｌあたり５０００個以上含むバルブ水溶液と、この水溶液の容量に対し５０％以下で歯槽膿漏及び歯肉炎を予防する薬物を含む口内洗浄液とからなり、これら水溶液と口内洗浄液とを混ぜ合わせたことを特徴とするバブル口内洗浄液。
【請求項２】
歯槽膿漏及び歯肉炎を予防する薬物を含む口内洗浄液又はこれに水を加えたものをマイクロバブル発生機構によりバブル処理して、直径が１０ナノから３００ミクロン以下の空気又は酸素などで出来たバブルを１ｍｌあたり５０００個以上含むようにしたことを特徴とするバブル口内洗浄液。
【請求項３】
口内洗浄を行なう噴射洗浄機の洗浄液収納タンク内に、直径が１０ナノから３００ミクロン以下の空気又は酸素などで出来たバブルを１ｍｌあたり５０００個以上含むバブル水溶液と、この水溶液の容量に対し５０％以下で歯槽膿漏及び歯肉炎を予防する薬物を含む口内洗浄液とを混入し、この洗浄機から噴射されるバブル水溶液と口内洗浄液とが混ざったバブル口内洗浄液により歯茎及び歯間等を洗浄するようにしたことを特徴とするバブル口内洗浄方法。
【発明の詳細な説明】
【技術分野】
【０００１】  本発明は、主として噴射洗浄機を用いて歯茎及び歯間等の口内洗浄を行なう場合に使用するバブル口内洗浄液及びバブル口内洗浄方法に関するものである。
【技術背景】
【０００２】  従来、歯周病、歯槽膿漏の予防や治療に対して歯磨き粉や口内洗浄液等が発売されている。そして、歯磨き粉を歯ブラシや指に着けた状態で歯茎及び歯間等をブラッシングして口内洗浄を行なったり、或いは、口内洗浄液を口に含んで数回すすぐことにより口内洗浄を行うようにしている。
【発明の開示】
【発明が解決しようとする課題】
【０００３】  しかし、上記した従来の口内洗浄方法にあっては、歯磨き粉や口内洗浄液の歯茎及び歯間等への浸透性が悪く、歯槽膿漏及び歯肉炎を予防する薬物が歯茎に十分浸透していないのが現状であり、また歯槽膿漏は一度かかってしまうと現状維持が関の山でなかなか治療が難かしく、十分な予防や治療効果が得られていないといった問題があった。【０００４】  そこで、本発明は、歯槽膿漏及び歯肉炎を予防する薬物の歯茎への浸透性を積極的に高めて歯周病や歯槽膿漏等の予防や治療効果を向上できるバブル口内洗浄液及びバブル口内洗浄方法の提供を課題とする。
【課題を解決するための手段】
【０００５】  上記課題を解決するため、本願の請求項１に記載の発明は、直径が１０ナノから３００ミクロン以下の空気又は酸素などで出来たバブルを１ｍｌあたり５０００個以上含むバルブ水溶液と、この水溶液の容量に対し５０％以下で歯槽膿漏及び歯肉炎を予防する薬物を含む口内洗浄液とからなり、これら水溶液と口内洗浄液とを混ぜ合わせたことを特徴とする。【０００６】  また、本願の請求項２に記載の発明は、バブル口内洗浄液として、歯槽膿漏及び歯肉炎を予防する薬物を含む口内洗浄液又はこれに水を加えたものをマイクロバブル発生機構によりバブル処理して、直径が１０ナノから３００ミクロン以下の空気又は酸素などで出来たバブルを１ｍｌあたり５０００個以上含むようにしたことを特徴とする。【０００７】  また、本願の請求項３に記載の発明は、バブル口内洗浄方法として、口内洗浄を行なう噴射洗浄機の洗浄液収納タンク内に、直径が１０ナノから３００ミクロン以下の空気又は酸素などで出来たバブルを１ｍｌあたり５０００個以上含むバブル水溶液と、この水溶液の容量に対し５０％以下で歯槽膿漏及び歯肉炎を予防する薬物を含む口内洗浄液とを混入し、この洗浄機から噴射されるバブル水溶液と口内洗浄液とが混ざったバブル口内洗浄液により歯茎及び歯間等を洗浄するようにしたことを特徴とする。
【発明の効果】
【０００８】  上記した本発明のバブル口内洗浄液によれば、いずれの場合もバブル水溶液と口内洗浄液とが混ざったバブル口内洗浄液のナノバブルが大きな洗浄効果を発揮することができ、しかも、泡が極めて小さいので口内洗浄液の歯槽膿漏及び歯肉炎を予防する薬物が歯茎に浸透しやすくなり、その結果、高い予防効果や治療効果が得られる。【０００９】  また、上記した本発明のバブル口内洗浄方法によれば、口内洗浄を行なう噴射洗浄機により、バブル水溶液と口内洗浄液とが混ざったバブル口内洗浄液を所望する歯茎及び歯間に正確容易にかつ奥部までジェット水流として噴射することができて大きな洗浄効果を発揮することができ、しかも、泡が極めて小さいので口内洗浄液の薬物が歯茎に浸透しやすくなり、その結果、高い予防効果や治療効果が得られる。
【発明を実施するための最良の形態】
【００１０】  以下、本発明の実施の形態を図に基づいて説明する。
図１は本発明に係るバブル口内洗浄液を示すもので、このバブル口内洗浄液１は、マイクロバブル発生機構（図示せず）を用いて形成した直径が１０ナノから３００ミクロン以下の空気又は酸素などで出来たバブルを１ｍｌあたり５０００個以上含むバルブ水溶液１ａと、この水溶液１ａの容量に対し５０％以下で歯槽膿漏及び歯肉炎を予防する薬物と５％以下の界面活性剤を含む口内洗浄液とからなり、これら水溶液１ａと口内洗浄液１ｂとを混ぜ合わせて形成したものである。【００１１】  口内洗浄液１ｂの薬物としては、例えば歯槽膿漏や歯肉炎を予防するためのヒノキチオール、クリチルリチン酸ジカリウム、ムクロジエキス、トウキエキス等を配合している。なお、その他の薬物を配合してもよいことは勿論である。また、界面活性剤は必ずしも必要でなく省略してもよい。【００１２】  次に、上記したバブル口内洗浄液１を用いて噴射洗浄機２により口内洗浄を効果的に行なうバブル口内洗浄方法について述べる。【００１３】  まず、図２に示すように口内洗浄を行なう噴射洗浄機２の洗浄液収納タンク２ａ内に、上記したマイクロバブル発生機構により形成した直径が１０ナノから３００ミクロン以下の空気又は酸素などで出来たバブルを１ｍｌあたり５０００個以上含むバルブ水溶液１ａと、この水溶液の容量に対し５０％以下の歯槽膿漏及び歯肉炎を予防する薬物と５％以下の界面活性剤を含む上記した口内洗浄液１ｂとを混入する。そして、タンク２ａの蓋を閉じ、噴射洗浄機へのバブル口内洗浄液１の装填を完了する。この場合、洗浄液収納タンク２ａに、バブル水溶液１ａと口内洗浄液１ｂとを別々に混入してもよいし、バブル水溶液１ａと口内洗浄液１ｂとを混ぜ合わせたバブル口内洗浄液１を入れるようにしてもよい。【００１４】  次に、噴射洗浄機２を操作し、図３に示すように噴射洗浄機２の先端ノズル部２ｂからバブル水溶液１ａと口内洗浄液１ｂとが混ざったバブル口内洗浄液１を歯茎及び歯間等に向かってエアー入りのジェット水流として噴射し、口内を洗浄する。この噴射洗浄時、エアーは必ずしも入れる必要がないが、エアーを同時に噴射する方が望ましい。【００１５】  これにより、バブル水溶液１ａと口内洗浄液１ｂとが混ざったバブル口内洗浄液１を所望する歯茎及び歯間に正確容易にかつ奥部まで噴射することができながら、バブル口内洗浄液１のナノバブルが大きな洗浄効果を発揮することができる。特に、泡が極めて小さいので口内洗浄液１ｂの薬物が歯茎に浸透しやすくなり、その結果、高い予防効果や治療効果が得られる。【００１６】  また、バブル口内洗浄液の別の実施例として、歯槽膿漏及び歯肉炎を予防する薬物を含む口内洗浄液又はこれに水を加えたものをマイクロバブル発生機構によりバブル処理して、直径が１０ナノから３００ミクロン以下の空気又は酸素などで出来たバブルを１ｍｌあたり５０００個以上含むように形成してもよい。【００１７】  このように形成した場合にも、バブル水溶液と口内洗浄液とが混ざったバブル口内洗浄液のナノバブルが大きな洗浄効果を発揮することができる。特に、泡が極めて小さいので口内洗浄液の歯槽膿漏及び歯肉炎を予防する薬物が歯茎に浸透しやすくなり、その結果、高い予防効果や治療効果が得ら���る。【００１８】  また、口内洗浄方法としては、先に噴射洗浄機を用いて歯茎及び歯間等の口内洗浄を行なう場合について説明したが、この他、例えばバブル口内洗浄液を直接口に含んで数回すすぐことにより口内洗浄を行うようにしてもよい。
【図面の簡単な説明】
【００１９】
【図１】  本発明に係るバブル口内洗浄液の説明図である。
【図２】  噴射洗浄機によりバブル口内洗浄液を使用する場合の説明図である。
【図３】  同噴射洗浄機により歯を洗浄する場合の説明図である。
【符号の説明】
【００２０】１          バブル口内洗浄液
１ａ        バブル水溶液
１ｂ        口内洗浄液
２          噴射洗浄機
２ａ        洗浄液収納タンク
【図１】
2009189753.tif 000003
【図２】
2009189753.tif 000004
【図３】
2009189753.tif 000005